(57)【要約】  【課題】  基地局との無線通信時に基地局からの通信レート情報に基づいてＵＳＢインターフェイス１４のデータ転送速度を基地局の無線通信速度と同じにする無線通信モジュールを提供する。  【解決手段】  ベースバンド信号と無線信号との相互周波数変換を行い、無線信号を送受信する無線信号送受信部１２、ベースバンド信号を処理するベースバンド処理部１３、ベースバンド処理部１３と後位端末装置１６間でベースバンドデータを転送するＵＳＢインターフェイス１４、ベースバンド処理部１３内にありＵＳＢインターフェイス１４のデータ転送速度を切替える転送速度切替部１３（１）を備え、基地局との間で無線通信を行う際に、基地局から送信される通信レート情報に基づいて転送速度切替部１３（１）がＵＳＢインターフェイス１４のデータ転送速度を、基地局の無線通信速度に対応して当該基地局の無線通信速度に適したデータ転送速度に切替える。  【選択図】  図２
2005328363.tif 000002
【特許請求の範囲】
【請求項１】
基地局との間で無線通信を行う無線通信モジュールであって、ベースバンド信号と無線信号との相互周波数変換を行い、前記無線信号を送受信する無線信号送受信部と、ベースバンド信号を処理するベースバンド処理部と、前記ベースバンド処理部と後位端末装置との間でベースバンドデータを転送するＵＳＢインターフェイスと、前記ベースバンド処理部内にあって前記ＵＳＢインターフェイスのデータ転送速度を切替える転送速度切替手段とを備え、前記基地局との間で無線通信を行う際に、前記基地局から送信される通信レート情報に基づいて、前記転送速度切替手段が前記ＵＳＢインターフェイスのデータ転送速度を、前記基地局の無線通信速度に対応して当該基地局の無線通信速度に適したデータ転送速度に切替えることを特徴とする無線通信モジュール。
【請求項２】
前記転送速度切替手段は、前記ＵＳＢインターフェイスのデータ転送速度を段階的に切替えるものであることを特徴とする請求項１に記載の無線通信モジュール。
【請求項３】
前記無線通信モジュールは携帯電話装置であり、前記基地局は携帯電話基地局であることを特徴とする請求項１または２に記載の無線通信モジュール。
【発明の詳細な説明】
【技術分野】
【０００１】
本発明は、無線通信モジュールに係り、特に、基地局との間で無線通信を行う際に、基地局から送信される通信レート情報に基づいてＵＳＢインターフェイスのデータ転送速度を基地局の無線通信速度と同じにするように切替える無線通信モジュールに関する。
【背景技術】
【０００２】
一般に、無線通信モジュールは、基地局との間で無線通信を行い、通話信号やデータ信号等の情報信号を相互伝達させるものである。そして、基地局は、各地に多数設けられており、それぞれの基地局が通信エリアを持っている。また、無線通信モジュールは、基地局と無線通信を行う際に、その無線通信モジュールがある地域の基地局との間で無線通信を行うもので、ユーザーが無線通信モジュールを保持した状態で移動したり、自動車等の移動体とともに移動したりする場合には、無線通信モジュールと無線通信が行われる基地局の通信エリアが無線通信モジュールの移動とともに順次変わることになる。
【０００３】
ここで、図５は、無線通信モジュールが複数の基地局の通信エリアを順次移動する際の状態の一例を示す説明図であって、これら複数の基地局の無線通信システムが同じである場合を示すものである。
【０００４】
図５において、５１は無線通信モジュール（図示なし）を搭載した自動車、５２、５３はそれぞれ通信エリア５２ａ、５３ａを有する基地局であって、一部にそれらの通信エリア５２ａ、５３ａが重なり合っている通信エリア５４ａを有し、自動車５１が基地局５２の通信エリア５２ａから通信エリア５４ａを通って基地局５３の通信エリア５３ａ方向に移動している状態を表しているものである。この場合、それぞれの基地局５２、５３は、同じ無線通信システムのもの、すなわち無線通信モジュールと無線通信を行う際の無線通信速度（データレート）が同じに設定されているものである。
【０００５】
図５に示されるように、自動車５１が基地局５２の通信エリア５２ａ内を移動している場合、自動車５１に搭載されている無線通信モジュールと基地局５２との間で無線通信が行われており、このような無線通信の状態は、基地局５２の通信エリア５２ａと基地局５３の通信エリア５３ａとが重なりあっているエリア５４ａを移動している場合も基本的に同じである。そして、自動車５１が当該エリア５４ａから離れ、基地局５３の通信エリア５３ａ内を移動するようになると、無線通信モジュールと基地局５３との間で無線通信が行われるようになる。
【０００６】
また、図６は、既知のこの種の無線通信モジュールに用いられる要部構成の一例を示すブロック図である。
【０００７】
図６に示されるように、この無線通信モジュール６０は、送受信アンテナ６１と、無線信号送受信部６２と、ベースバンド処理部６３と、ＵＳＢインターフェイス６４と、後位端末装置６６と接続されるＵＳＢ端子６５とからなっている。この場合、ＵＳＢ端子６５は、４つの接続端子Ｄ＋、Ｄ−、Ｖｂｕｓ、ＧＮＤを有しており、端子Ｄ＋、Ｄ−、Ｖｂｕｓは３本のラインによってＵＳＢインターフェイス６４に接続され、端子ＧＮＤは接地点に接続される。なお、後述するように、端子Ｄ＋に接続されたラインまたは端子Ｄ−に接続されたラインには選択的にプルアップ抵抗６７が接続される。後位端末装置６６は、パソコン（ＰＣ）やＰＤＡ（携帯情報端末）等からなるもので、使用時に、ＵＳＢ端子６５と後位端末装置６６とがＵＳＢケーブル（図示なし）によって接続される。
【０００８】
そして、無線信号送受信部６２は、ベースバンド信号と無線信号との相互周波数変換や必要な信号増幅等を行うもので、基地局との間で無線信号を送受信する送受信アンテナ６１が接続されている。ベースバンド処理部６３は、送信されるベースバンドデータに所定の処理を行って無線信号送受信部６２に供給し、受信したベースバンドデータに所定の処理を行ってＵＳＢインターフェイス６４に供給する。ＵＳＢインターフェイス６４は、ベースバンド処理部６３から供給されたベースバンドデータを後位端末装置６６に転送し、後位端末装置６６から供給されたベースバンドデータをベースバンド処理部６３に転送するものである。
【０００９】
この場合、ＵＳＢインターフェイス６４におけるベースバンドデータの転送速度は、基地局５２、５３の無線通信システムが同じであるため、その無線通信システムの種類に応じて決められた固定転送速度になるように設定されている。例えば、移動無線通信に用いられる無線通信モジュール６０においては、その無線通信速度（データレート）が数１００ｋｂｐｓ程度、例えば、ＰＤＣでは９．６ｋｂｐｓ、ＰＨＳでは１２８ｋｂｐｓ、ＣＤＭＡ２０００  １×では１４４ｋｂｐｓ、Ｗ−ＣＤＭＡでは３８４ｋｂｐｓであるため、ＵＳＢインターフェイス６４におけるベースバンドデータの転送速度は、１．５ＭｂｐｓのＬｏｗ−Ｓｐｅｅｄ（低速度）と１２ＭｂｐｓのＦｕｌｌ−Ｓｐｅｅｄ（全速度）のいずれかに固定設定されており、また、無線ＬＡＮに用いられる無線通信モジュール６０においては、その無線通信速度（データレート）が数１０Ｍｂｐｓであるため、ＵＳＢインターフェイス６４におけるベースバンドデータの転送速度は、Ｆｕｌｌ−Ｓｐｅｅｄ（全速度）に固定設定されている。
【００１０】
ところで、ＵＳＢインターフェイス６４におけるベースバンドデータの転送速度を固定設定する際には、プルアップ抵抗６７を接続するラインを選択する必要がある。この場合、プルアップ抵抗６７を端子Ｄ＋に接続されたラインに接続すると、端子Ｄ＋にプルアップ抵抗６７を通してプルアップ電圧が供給され、端子Ｄ＋に供給されたプルアップ電圧がＵＳＢケーブルを通して後位端末装置６６に供給され、それによってベースバンドデータの転送速度がＦｕｌｌ−Ｓｐｅｅｄ（全速度）に固定設定される。一方、プルアップ抵抗６７を端子Ｄ−に接続されたラインに接続すると、端子Ｄ−にプルアップ抵抗６７を通してプルアップ電圧が供給され、端子Ｄ−に供給されたプルアップ電圧がＵＳＢケーブルを通して後位端末装置６６に供給され、それによってベースバンドデータの転送速度がＬｏｗ−Ｓｐｅｅｄ（低速度）に固定設定される。
【特許文献１】使用する文献なし
【発明の開示】
【発明が解決しようとする課題】
【００１１】
近年になって、高速度通信によって多量の情報を伝送する通信方式が各所で使用されるようになり、この種の無線通信においても、これまでの無線通信速度（データレート）を使用した無線通信システム（以下、これを低速度の無線通信システムという）の基地局に加えて、それよりも高い無線通信速度（データレート）を採用した新たな無線通信システム（以下、これを高速度の無線通信システムという）の基地局が採用されるようになリ、多数の基地局として低速度の無線通信システムの基地局と高速度の無線通信システムの基地局とが混在した状態になっている。
【００１２】
そして、低速度の無線通信システムの基地局と高速度の無線通信システムの基地局とが混在していても、それぞれの無線通信モジュール６０は、これらの無線通信システム同士でハンドオフ、すなわち通信状態の相互接続を容易に行うことができるもので、低速度の無線通信システムの基地局の通信エリア内から高速度の無線通信システムの基地局の通信エリア内に移動しても、反対に、高速度の無線通信システムの基地局の通信エリア内から低速度の無線通信システムの基地局の通信エリア内に移動しても、同じように無線通信を行うことができる。そして、このような状態で使用している無線通信モジュール６０においては、ＵＳＢインターフェイス６４のベースバンドデータの転送速度を、通常、Ｆｕｌｌ−Ｓｐｅｅｄ（全速度）に固定設定している。
【００１３】
しかるに、無線通信モジュール６０において、ＵＳＢインターフェイス６４のベースバンドデータの転送速度をＦｕｌｌ−Ｓｐｅｅｄ（全速度）に固定設定していると、無線通信モジュール６０が高速度の無線通信システムの基地局の通信エリア内から低速度の無線通信システムの基地局の通信エリア内に移動したときに、ＵＳＢインターフェイス６４のベースバンドデータの転送速度が依然としてＦｕｌｌ−Ｓｐｅｅｄ（全速度）の状態に維持されるため、オーバースペックの動作状態になり、その分、消費電流が増大することになる。ちなみに、一例として、一つのＵＳＢインターフェイス６４の消費電流は、Ｌｏｗ−Ｓｐｅｅｄ（低速度）に設定したとき約５ｍＡであるのに対し、Ｆｕｌｌ−Ｓｐｅｅｄ（全速度）に設定したとき約１０ｍＡというように２倍程度の違いがある。
【００１４】
本発明は、このような技術的背景に鑑みてなされたもので、その目的は、基地局との無線通信時に、基地局からの通信レート情報に基づいてＵＳＢインターフェイスのデータ転送速度を基地局の無線通信速度に適した速度に切替えるようにした無線通信モジュールを提供することにある。
【課題を解決するための手段】
【００１５】
前記目的を達成するために、本発明による無線通信モジュールは、基地局との間で無線通信を行う無線通信モジュールであって、ベースバンド信号と無線信号との相互周波数変換を行い、無線信号を送受信する無線信号送受信部と、ベースバンド信号を処理するベースバンド処理部と、ベースバンド処理部と後位端末装置との間でベースバンドデータを転送するＵＳＢインターフェイスと、ベースバンド処理部内にあってＵＳＢインターフェイスのデータ転送速度を切替える転送速度切替手段とを備え、基地局との間で無線通信を行う際に、基地局から送信される通信レート情報に基づいて、転送速度切替手段がＵＳＢインターフェイスのデータ転送速度を、基地局の無線通信速度に対応して当該基地局の無線通信速度に適したデータ転送速度に切替える手段を具備する。
【００１６】
また、前記手段における転送速度切替手段は、ＵＳＢインターフェイスのデータ転送速度を段階的に切替えるものである第１の構成手段を具備する。
【００１７】
さらに、前記手段における無線通信モジュールは携帯電話装置であり、基地局は携帯電話基地局である第２の構成手段を具備する。
【発明の効果】
【００１８】
以上のように、この発明による無線通信モジュールによれば、基地局との間で無線通信を行う際に、基地局から送信される通信レート情報に基づいて、ＵＳＢインターフェイスのデータ転送速度を当該基地局の無線通信速度に適した速度に切替えるようにしたので、ＵＳＢインターフェイスの電流消費を増大させることがなく、そのデータ転送速度に見合った電流消費にできるという効果がある。
【発明を実施するための最良の形態】
【００１９】
以下、本発明の実施の形態を図面を参照して説明する。
【００２０】
図１は、無線通信モジュールが複数の基地局の通信エリアを順次移動する際の状態の一例を示す説明図であって、これら複数の基地局の無線通信システムが異なっている場合を示すものである。
【００２１】
図１において、１は無線通信モジュール（図示なし）を搭載した自動車、２は通信エリア２ａを有する基地局、３は通信エリア３ａを有する基地局であって、通信エリア２ａと通信エリア３ａとはそれらの一部が重なり合った通信エリア４ａを有するもので、自動車１が基地局２の通信エリア２ａから通信エリア４ａを通って基地局３の通信エリア３ａ方向に移動している状態を表しているものである。この場合、それぞれの基地局２と基地局３は、異なる無線通信システムのもの、すなわち基地局２の無線通信速度（データレート）が数Ｍｂｐｓになるように設定されており、基地局３の無線通信速度（データレート）が数１００ｋｂｐｓになるように設定されている。
【００２２】
図１に示されるように、自動車１が基地局２の通信エリア２ａ内を移動している場合、自動車１に搭載されている無線通信モジュールと基地局２との間で数Ｍｂｐｓの無線通信速度（データレート）による無線通信が行われ、このような無線通信の状態は、基地局２の通信エリア２ａと基地局３の通信エリア３ａとが重なりあっているエリア４ａを移動している場合も基本的に同じ状態で無線通信が行われる。そして、自動車１が当該エリア４ａから離れ、基地局３の通信エリア３ａ内を移動するようになると、無線通信モジュールと基地局３との間で数１００ｋｂｐｓの無線通信速度（データレート）による無線通信が行われるようになる。
【００２３】
次に、図２は、本発明よる無線通信モジュールの一つの実施の形態に係わるもので、その要部構成の一例を示すブロック図である。
【００２４】
図２に示されるように、この実施の形態による無線通信モジュール１０は、送受信アンテナ１１と、無線信号送受信部１２と、転送速度切替部１３（１）を内蔵するベースバンド処理部１３と、ＵＳＢインターフェイス１４と、後位端末装置１６と接続されるＵＳＢ端子１５とからなっている。この場合、ＵＳＢ端子１５は、４つの接続端子Ｄ＋、Ｄ−、Ｖｂｕｓ、ＧＮＤを有しており、端子Ｄ＋、Ｄ−、Ｖｂｕｓはそれぞれのライン１７（１）、１７（２）、１７（３）を通してＵＳＢインターフェイス１４に接続され、端子ＧＮＤはライン１７（４）を通して接地点に接続される。また、ベースバンド処理部１３とＵＳＢインターフェイス１４とはライン１８によって接続され、ライン１７（１）とライン１８との間に第１プルアップ抵抗１８（１）が接続され、ライン１７（２）とライン１８との間に第２プルアップ抵抗１８（２）と反転増幅器１９が直列接続されている。後位端末装置１６は、この場合もパソコン（ＰＣ）やＰＤＡ（携帯情報端末）等からなるもので、使用時に、ＵＳＢ端子１５と後位端末装置１６とがＵＳＢ端子１５を介してＵＳＢケーブル（図示なし）によって接続される。
【００２５】
そして、無線信号送受信部１２は、ベースバンド信号と無線信号との相互周波数変換や必要な信号増幅等を行うもので、基地局との間で無線信号を送受信する送受信アンテナ１１が接続されている。ベースバンド処理部１３は、送信されるベースバンドデータに所定の処理を行って無線信号送受信部１２に供給し、受信したベースバンドデータに所定の処理を行ってＵＳＢインターフェイス１４に供給する。なお、ベースバンド処理部１３に内蔵される転送速度切替部１３（１）は、基地局から送信された無線信号中に含まれている基地局の通信レート情報（ステータスメッセージ）に基づいてＵＳＢインターフェイス１４のデータ転送速度を切替える転送速度切替信号を発生する。ＵＳＢインターフェイス１４は、ベースバンド処理部１３から供給されたベースバンドデータを後位端末装置１６に転送し、後位端末装置１６から供給されたベースバンドデータをベースバンド処理部１３に転送するもので、転送速度切替部１３（１）から出力される転送速度切替信号によってそのデータ転送速度が段階的に切替えられる。
【００２６】
この場合、基地局の無線通信速度とＵＳＢインターフェイス１４のデータ転送速度との関係は、ＵＳＢインターフェイス１４の選択可能なデータ転送速度の中に基地局の無線通信速度に一致したものが存在していれば、ＵＳＢインターフェイス１４のデータ転送速度を基地局の無線通信速度に一致するように切替えることになるが、ＵＳＢインターフェイス１４の選択可能なデータ転送速度と基地局の無線通信速度とが必ずしも一致するとは限らないので、この場合は、原則的には、ＵＳＢインターフェイス１４のデータ転送速度を基地局の無線通信速度よりも速くかつより近い速度に切替えるものであり、ＵＳＢインターフェイス１４のデータ転送速度にそれに該当するデータ転送速度が存在しないとき、ＵＳＢインターフェイス１４のデータ転送速度を基地局の無線通信速度よりも遅くかつより近い速度に切替えるもので、このような切替えを行うことを、ＵＳＢインターフェイスのデータ転送速度を、基地局の無線通信速度に対応して当該基地局の無線通信速度に適したデータ転送速度に切替えると表現している。
【００２７】
次いで、図３、図４は、この無線通信モジュール１０で実行される動作経緯を示すフローチャートであって、図３は電源投入直後の動作経緯であり、図４は無線通信モジュールが移動している際の動作経緯である。
【００２８】
始めに、図３に示すフローチャートを用い、無線通信モジュール１０への電源投入直後の動作について説明する。
【００２９】
始めに、ステップＳ１において、無線通信モジュール１０は、近傍にあるそれぞれの基地局から数Ｍｂｐｓの無線通信速度（データレート）による無線通信信号（以下、この信号を高速度通信エリアの信号という）を受信する。
【００３０】
次に、ステップＳ２において、無線通信モジュール１０は、高速度通信エリアの信号が受信できたか否かを判断する。そして、高速度通信エリアの信号が受信できなかったと判断した（Ｎ）ときは次のステップＳ３に移行し、一方、高速度通信エリアの信号が受信できたと判断した（Ｙ）ときは他のステップＳ５に移行する。
【００３１】
次いで、ステップＳ３において、無線通信モジュール１０は、近傍にあるそれぞれの基地局から数１００ｋｂｐｓの無線通信速度（データレート）による無線通信信号（以下、この信号を低速度通信エリアの信号という）を受信する。
【００３２】
続く、ステップＳ４において、無線通信モジュール１０は、低速度通信エリアの信号が受信できたか否かを判断する。そして、低速度通信エリアの信号が受信できたと判断した（Ｙ）ときは次のステップＳ６に移行し、一方、低速度通信エリアの信号が受信できなかったと判断した（Ｎ）ときは他のステップＳ９に移行する。
【００３３】
次に、ステップＳ５において、無線通信モジュール１０は、高速度通信エリアの信号に関する情報、例えば通信レート情報（ステータスメッセージ）をベースバンド処理部１３の内部メモリに格納する。
【００３４】
また、ステップＳ６において、無線通信モジュール１０は、低速度通信エリアの信号に関する情報、例えば通信レート情報（ステータスメッセージ）をベースバンド処理部１３の内部メモリに格納する。
【００３５】
次いで、ステップＳ７において、無線通信モジュール１０は、ベースバンド処理部１３の内部メモリの格納情報に基づいて、ベースバンド処理部１３がライン１８に正レベルの制御電圧を発生し、この正レベルの制御電圧を第１プルアップ抵抗１８（１）を通してライン１７（１）に供給し、端子Ｄ＋にプルアップ電圧を供給する。
【００３６】
一方、ステップＳ８において、無線通信モジュール１０は、ベースバンド処理部１３の内部メモリの格納情報に基づいて、ベースバンド処理部１３がライン１８にゼロレベルの制御電圧を発生し、このゼロレベルの制御電圧を反転増幅器１９で正レベルの制御電圧に変換した後、第２プルアップ抵抗１８（２）を通してライン１７（２）に供給し、端子Ｄ−にプルアップ電圧を供給する。
【００３７】
また、ステップＳ９において、無線通信モジュール１０は、高速度通信エリアの信号及び低速度通信エリアの信号のいずれも受信できなかったことから、基地局の通信エリア外である旨を表示部（図２に図示なし）に表示する。この表示が行われると、ステップＳ１に戻り、再びステップＳ１以降の動作が繰り返し実行される。
【００３８】
次に、図４に示すフローチャートを用い、無線通信モジュール１０が１つの基地局（移動元基地局）の通信エリアから次の基地局（移動先基地局）の通信エリアに向けて移動しているときの動作について説明する。
【００３９】
まず、ステップＳ１０において、無線通信モジュール１０は、移動先基地局が送信している高速度通信エリアの信号を受信する。
【００４０】
次に、ステップＳ１１において、無線通信モジュール１０は、高速度通信エリアの信号が受信できたか否かを判断する。そして、高速度通信エリアの信号が受信できたと判断した（Ｙ）ときは次のステップＳ３に移行し、一方、高速度通信エリアの信号が受信できなかったと判断した（Ｎ）ときは他のステップＳ１５に移行する。
【００４１】
次いで、ステップＳ１２において、無線通信モジュール１０は、高速度通信エリアの信号の通信中であるか否かを判断する。そして、高速度通信エリアの信号の通信中であると判断した（Ｙ）ときは次のステップＳ１３に移行し、高速度通信エリアの信号の通信中でないと判断した（Ｎ）ときは他のステップＳ１４に移行する。
【００４２】
続いて、ステップＳ１３において、無線通信モジュール１０は、高速度通信エリアの信号に関する情報、例えば通信レート情報（ステータスメッセージ）をベースバンド処理部１３の内部メモリに格納する。
【００４３】
続く、ステップＳ１４において、無線通信モジュール１０は、移動元基地局の無線通信速度（データレート）と移動先基地局の無線通信速度（データレート）とが異なっていた場合、ＵＳＢインターフェイス１４と後位端末装置１６との接続を切断し、ベースバンド処理部１３からライン１８に正レベルの制御信号を出力してＵＳＢインターフェイス１４のデータ転送速度を高速に切替え、端子Ｄ＋にプルアップ電圧を供給して後位端末装置１６にデータ転送速度を高速に切替えたことを知らせる。一方、移動元基地局の無線通信速度（データレート）と移動先基地局の無線通信速度（データレート）とが同じである場合は、各部の状態を前のままに維持する。
【００４４】
また、ステップＳ１５において、無線通信モジュール１０は、移動先基地局が送信している低速度通信エリアの信号を受信する。
【００４５】
次に、ステップＳ１６において、無線通信モジュール１０は、低速度通信エリアの信号が受信できたか否かを判断する。そして、低速度通信エリアの信号が受信できたと判断した（Ｙ）ときは次のステップＳ１６に移行し、一方、低速度通信エリアの信号が受信できなかったと判断した（Ｎ）ときは前のステップＳ１０に戻り、再び、ステップＳ１０以降の動作を繰り返し実行する。
【００４６】
次いで、ステップＳ１７において、無線通信モジュール１０は、低速度通信エリアの信号の通信中であるか否かを判断する。そして、低速度通信エリアの信号の通信中であると判断した（Ｙ）ときは次のステップＳ１８に移行し、低速度通信エリアの信号の通信中でないと判断した（Ｎ）ときは他のステップＳ１９に移行する。
【００４７】
続いて、ステップＳ１８において、無線通信モジュール１０は、低速度通信エリアの信号に関する情報、例えば通信レート情報（ステータスメッセージ）をベースバンド処理部１３の内部メモリに格納する。
【００４８】
続く、ステップＳ１９において、無線通信モジュール１０は、移動元基地局の無線通信速度（データレート）と移動先基地局の無線通信速度（データレート）とが異なっていた場合、ＵＳＢインターフェイス１４と後位端末装置１６との接続を切断し、ベースバンド処理部１３からライン１８にゼロレベルの制御信号を出力してＵＳＢインターフェイス１４のデータ転送速度を低速に切替え、端子Ｄ−にプルアップ電圧を供給して後位端末装置１６にデータ転送速度を低速に切替えたことを知らせる。一方、移動元基地局の無線通信速度（データレート）と移動先基地局の無線通信速度（データレート）とが同じである場合は、各部の状態を前のままに維持する。
【図面の簡単な説明】
【００４９】
【図１】無線通信モジュールが複数の基地局の通信エリアを順次移動する際の状態の一例を示す説明図であって、無線通信システムを異にしている基地局間を移動中の場合である。
【図２】本発明よる無線通信モジュールの一つの実施の形態に係わるもので、その要部構成の一例を示すブロック図である。
【図３】無線通信モジュールで実行される電源投入直後の動作経緯を示すフローチャートである。
【図４】無線通信モジュールで実行される無線通信モジュールが移動している際の動作経緯示すフローチャートである。
【図５】無線通信モジュールが複数の基地局の通信エリアを順次移動する際の状態の一例を示す説明図であって、同じ無線通信システムの基地局間を移動中の場合である。
【図６】既知の無線通信モジュールに用いられる要部構成の一例を示すブロック図である。
【符号の説明】
【００５０】
１  自動車
２、３  基地局
２ａ、３ａ、４ａ  通信エリア
１０  無線通信モジュール
１１  送受信アンテナ
１２  無線信号送受信部
１３  ベースバンド処理部
１３（１）  転送速度切替部
１４  ＵＳＢインターフェイス
１５  ＵＳＢ端子
１６  後位端末装置
１７（１）、１７（２）、１７（３）、１７（４）、１８  ライン
１８（１）  第１プルアップ抵抗
１８（２）  第２プルアップ抵抗
１９  反転増幅器
【図１】
2005328363.tif 000003
【図２】
2005328363.tif 000004
【図３】
2005328363.tif 000005
【図４】
2005328363.tif 000006
【図５】
2005328363.tif 000007
【図６】
2005328363.tif 000008